(57)【特許請求の範囲】
【請求項１】
目標物を特定する情報と当該目標物の位置座標と属性情報と連絡先情報が関連付けられた情報である目標物情報と、目標物を特定する情報に関連付けた時間的に変化する目標物に関する情報であるアクティブ情報を収集する条件である収集条件を記録した記録部と、
アクティブ情報を収集条件にしたがって収集し、アクティブ情報に対応するアクティブ対応情報を、目標物を特定する情報と関連付けて前記記録部に記録するアクティブ情報収集部と、
入力された検索条件を満たす目標物を前記目標物情報と前記アクティブ対応情報を用いて検索する目標物検索部と、
を備え、
前記アクティブ情報は、目標物を特定する情報に関連付けられた端末の位置座標を含み、
前記アクティブ対応情報は、１つまたは複数のアクティブ情報に基づいて求められた前記目標物検索部が検索に用いる情報である
ことを特徴とする動的情報提供装置。
【請求項２】
目標物を特定する情報と当該目標物の位置座標と属性情報と連絡先情報が関連付けられた情報である目標物情報と、目標物を特定する情報に関連付けた時間的に変化する目標物に関する情報であるアクティブ情報を収集する条件である収集条件を記録した記録部と、
アクティブ情報を収集条件にしたがって収集し、アクティブ情報に対応するアクティブ対応情報を、目標物を特定する情報と関連付けて前記記録部に記録するアクティブ情報収集部と、
入力された検索条件を満たす目標物を前記目標物情報と前記アクティブ対応情報を用いて検索する目標物検索部と、
を備え、
前記アクティブ情報は、目標物に対してあらかじめ設定された位置座標の範囲内に存在する当該目標物と関連付けられていない端末の数の情報、または、前記範囲に所定の時間内に出入りした当該目標物と関連付けられていない端末の数の情報を含み、
前記アクティブ対応情報は、１つまたは複数のアクティブ情報に基づいて求められた前記目標物検索部が検索に用いる情報である
ことを特徴とする動的情報提供装置。
【請求項３】
請求項１または２記載の動的情報提供装置であって、
収集条件には、前記アクティブ情報に基づいて前記アクティブ対応情報を求める処理の情報も含まれている
ことを特徴とする動的情報提供装置。
【請求項４】
請求項１〜３のいずれかに記載の動的情報提供装置であって、
前記アクティブ情報は、目標物を特定する情報に関連付けられた電力計が示す消費電力を含む
ことを特徴とする動的情報提供装置。
【請求項５】
請求項１〜４のいずれかに記載の動的情報提供装置であって、
前記アクティブ情報は、目標物が道路とつながる位置座標の情報を含み、
前記目標物検索部は、目標物情報と一緒に当該目標物が道路とつながる位置座標の情報とを出力する
ことを特徴とする動的情報提供装置。
【請求項６】
記録部とアクティブ情報収集部と目標物検索部を備える動的情報提供装置を用いた動的情報提供方法であって、
あらかじめ前記記録部に、目標物を特定する情報と当該目標物の位置座標と属性情報と連絡先情報が関連付けられた情報である目標物情報と、目標物を特定する情報に関連付けた時間的に変化する目標物に関する情報であるアクティブ情報を収集する条件である収集条件を記録しておき、
前記アクティブ情報収集部が、アクティブ情報を収集条件にしたがって収集し、アクティブ情報に対応するアクティブ対応情報を、目標物を特定する情報と関連付けて前記記録部に記録するアクティブ情報収集ステップと、
前記目標物検索部が、入力された検索条件を満たす目標物を前記目標物情報と前記アクティブ対応情報を用いて検索する目標物検索ステップと、
を有し、
前記アクティブ情報は、目標物を特定する情報に関連付けられた端末の位置座標を含み、
前記アクティブ対応情報は、１つまたは複数のアクティブ情報に基づいて求められた前記目標物検索部が検索に用いる情報である
ことを特徴とする動的情報提供方法。
【請求項７】
記録部とアクティブ情報収集部と目標物検索部を備える動的情報提供装置を用いた動的情報提供方法であって、
あらかじめ前記記録部に、目標物を特定する情報と当該目標物の位置座標と属性情報と連絡先情報が関連付けられた情報である目標物情報と、目標物を特定する情報に関連付けた時間的に変化する目標物に関する情報であるアクティブ情報を収集する条件である収集条件を記録しておき、
前記アクティブ情報収集部が、アクティブ情報を収集条件にしたがって収集し、アクティブ情報に対応するアクティブ対応情報を、目標物を特定する情報と関連付けて前記記録部に記録するアクティブ情報収集ステップと、
前記目標物検索部が、入力された検索条件を満たす目標物を前記目標物情報と前記アクティブ対応情報を用いて検索する目標物検索ステップと、
を有し、
前記アクティブ情報は、目標物に対してあらかじめ設定された位置座標の範囲内に存在する当該目標物と関連付けられていない端末の数の情報、または、前記範囲に所定の時間内に出入りした当該目標物と関連付けられていない端末の数の情報を含み、
前記アクティブ対応情報は、１つまたは複数のアクティブ情報に基づいて求められた前記目標物検索部が検索に用いる情報である
ことを特徴とする動的情報提供方法。
【請求項８】
請求項６または７記載の動的情報提供方法であって、
収集条件には、前記アクティブ情報に基づいて前記アクティブ対応情報を求める処理の情報も含まれている
ことを特徴とする動的情報提供方法。
【請求項９】
請求項６〜８のいずれかに記載の動的情報提供方法であって、
前記アクティブ情報は、目標物を特定する情報に関連付けられた電力計が示す消費電力を含む
ことを特徴とする動的情報提供方法。
【請求項１０】
請求項６〜９のいずれかに記載の動的情報提供方法であって、
前記アクティブ情報は、目標物が道路とつながる位置座標の情報を含み、
前記目標物検索部は、目標物情報と一緒に当該目標物が道路とつながる位置座標の情報とを出力する
ことを特徴とする動的情報提供方法。
【請求項１１】
請求項１〜５のいずれかに記載の動的情報提供装置としてコンピュータを機能させるための動的情報提供プログラム。
【発明の詳細な説明】
【技術分野】
【０００１】
本発明は、時間的に変化する目標物に関する情報であるアクティブ情報を考慮して情報提供を行うための動的情報提供装置、動的情報提供方法、動的情報提供プログラムに関する。
【背景技術】
【０００２】
現在位置から目的地までの経路を探索し、経路を提示する装置として特許文献１などが知られている。また、特許文献２には道路の冠水情報をカーナビゲーションシステム
に表示させる車両警報システムが示されており、リアルタイム性を有するナビゲーション技術が示されている。
【先行技術文献】
【特許文献】
【０００３】
【特許文献１】特開２０１４−２２２２５０号公報
【特許文献２】特開２０１８−１２４６０２号公報
【発明の概要】
【発明が解決しようとする課題】
【０００４】
しかしながら、特許文献１は主に静的な情報に基づいたナビゲーション技術である。特許文献２にはリアルタイム性を有するナビゲーション技術が示されているが、冠水という限定的な情報に限定して、リアルタイム性を実現している。しかし、一般的なサービスに関する情報を動的に提供する技術ではない。
【０００５】
本発明は、一般的なサービスに関する情報を動的に提供することを目的とする。
【課題を解決するための手段】
【０００６】
本発明の動的情報提供装置は、記録部、アクティブ情報収集部、目標物検索部を備える。記録部は、目標物を特定する情報と当該目標物の位置座標と属性情報と連絡先情報が関連付けられた情報である目標物情報と、目標物を特定する情報に関連付けた時間的に変化する目標物に関する情報であるアクティブ情報を収集する条件である収集条件を記録している。アクティブ情報収集部は、アクティブ情報を収集条件にしたがって収集し、アクティブ情報に対応するアクティブ対応情報を、目標物を特定する情報と関連付けて記録部に記録する。アクティブ対応情報は、１つまたは複数のアクティブ情報に基づいて求められた目標物検索部が検索に用いる情報である。目標物検索部は、入力された検索条件を満たす目標物を目標物情報とアクティブ対応情報を用いて検索する。
【発明の効果】
【０００７】
本発明の動的情報提供装置によれば、記録部は、時間的に変化する目標物に関するアクティブ情報を収集する収集条件を記録している。そして、アクティブ情報収集部が収集条件にしたがってアクティブ情報を収集し、目標物検索部が入力された条件を満たす目標物の目標物情報を出力する。収集条件は目的に適合させて設定できるので、一般的なサービスに関する情報を動的に提供することができる。
【図面の簡単な説明】
【０００８】
【図１】情報提供システムの機能構成例を示す図。
【図２】情報提供システムの処理フローを示す図。
【図３】アクティブ情報からアクティブ対応情報を求める処理フローの例を示す図。
【図４】コンピュータの機能構成例を示す図。
【発明を実施するための形態】
【０００９】
以下、本発明の実施の形態について、詳細に説明する。なお、同じ機能を有する構成部には同じ番号を付し、重複説明を省略する。
【実施例１】
【００１０】
図１に情報提供システムの機能構成例を、図２に情報提供システムの処理フローを示す。情報提供システム１０は、ネットワーク９００を介して接続された動的情報提供装置１００、端末８００、アクティブ情報提供装置４００などで構成されている。情報提供システム１０は、端末位置情報提供装置２００、消費電力情報提供装置３００を備えてもよい。本明細書では、「目標物」とは、店舗、病院などの施設もしくは個人宅などであり、少なくとも位置座標に関する情報（例えば、位置座標の範囲、施設の中心の位置座標など）と属性情報（例えば、レストラン、ガソリンスタンド、病院、個人宅など）と連絡先情報（例えば、電話番号、ホームページのＵＲＬ、メールアドレスなど）が関連付けられている。「位置座標」とは地球上での位置を示す座標を意味し、例えば、緯度、経度である。「アクティブ情報」とは、時間的に変化する目標物に関する情報を意味する。本明細書での「時間的に変化する」は、目標物の状態（例えば、店舗が開店状態か、閉店状態かなど）が時間的に変化することを意味している。したがって、日にちまたは時間の単位での状態の変化を想定している。目標物自体が変わってしまうような年の単位での変化、情報を提供している間に変化してしまうような秒の単位で変化は含まない。ただし、明確な境界はなく、目標物の属性と検索したい内容などに依存して判断される。例えば、レストランのメニューの変更であれば、月単位または週単位で変化する可能性がある。「ハンバーグ定食が週替わりランチのレストラン」を検索するためには、週単位で変化するメニューの情報をアクティブ情報として収集する必要がある。また、チケット売り場の待ち時間であれば分単位で変化する可能性がある。人気のあるチケットが販売されたときに「待ち時間が３０分以内のチケット売り場」を検索するためには、分単位で変化する待ち時間の情報をアクティブ情報として収集する必要がある。つまり、目的物がレストランであり、検索したい内容がメニューの場合であれば、月単位、週単位の変化も「時間的に変化する」に該当する。また、目的物がチケット売り場であり、検索したい内容が待ち時間の場合であれば、分単位の変化も「時間的に変化する」に該当する。
【００１１】
本発明は動的情報提供装置１００に関する発明であるが、以下では、まず前提となる端末８００、端末位置情報提供装置２００、消費電力情報提供装置３００、アクティブ情報提供装置４００などについて説明する。
【００１２】
＜端末８００＞
端末８００は、インターフェース部８１０と通信部８９０を備える。端末８００は、ナビゲーション部８２０も備えてもよい。インターフェース部８１０は、端末８００の利用者からの入力を取得し、利用者に情報を提供する機能を有する。入力を取得する機能は、タッチパネルまたはキーボードからの入力だけでなく、音声入力、カメラを利用した入力（例えば、バーコードの入力）なども含まれる。情報を提示する機能は、画面への出力だけでなく、音声出力、触覚を利用した出力（例えば、バイブレーションでの出力）なども含まれる。通信部８９０は、ネットワーク９００を介して他の装置、端末と情報を授受するための機能を有する。なお、この明細書内では、「端末」は、インターフェース部８１０、通信部８９０を備えていれば、携帯端末、タブレット端末、ノート型のパソコン、デスクトップ型のパソコンだけに限定するものではなく、他の装置も含んでいる。例えば、インターフェース部８１０、通信部８９０、ナビゲーション部８２０を備えた車両は、この明細書内では「端末」に含まれる。
【００１３】
ナビゲーション部８２０は、目標物を特定する情報、目標物の位置座標、目標物の住所または目標物への連絡先情報を指定すると、端末の現在の位置座標から目標物の位置座標までの経路を探索し、表示する機能を有する。
【００１４】
端末８００は、探したい目標物の検索条件を取得する（Ｓ８１１）。この際、利用者はすべての検索条件を、インターフェース部８１０を介して入力するとは限らない。例えば、「鎌倉市内でこれから入れるレストラン」という検索条件がインターフェース部８１０を介して入力された場合、ナビゲーション部８２０を用いて現在の位置座標と時刻から鎌倉市内に到着する時刻を予測すればよい。そして、端末８００は、「到着予定時刻に鎌倉市内で開店しているレストラン」という検索条件を、探したい目標物の検索条件とすればよい。端末８００は、取得した検索条件を動的情報提供装置１００に送信する（Ｓ８９１）。
【００１５】
＜端末位置情報提供装置２００＞
ネットワーク９００には、端末８００だけでなく多数の端末（例えば、端末８０１，８０２など）が接続されている。端末位置情報提供装置２００は、端末位置情報記録部２１０、端末位置情報取得部２２０、通信部２９０を備える。通信部２９０は、ネットワーク９００を介して、動的情報提供装置１００、および多数の端末８００，８０１，８０２などと接続されている。端末８００，８０１，８０２は全地球測位システム（ＧＰＳ：Global Positioning System）などを利用して位置座標を取得する機能を有しており、その端末の利用者は、端末位置情報提供装置２００および動的情報提供装置１００に位置座標の情報を提供することを許諾しているとする。
【００１６】
端末位置情報取得部２２０は、端末８００，８０１，８０２を特定する情報と当該端末の位置座標の情報と日時とを関連付けた端末位置に関するアクティブ情報を取得し、端末位置情報記録部２１０に記録する。端末位置に関するアクティブ情報の取得は、端末の移動と静止を確認できる時間間隔で実行すればよい。例えば、５分間隔、１０分間隔などで取得すればよい。通信部２９０は、動的情報提供装置１００の要求にしたがってアクティブ情報を選択し、動的情報提供装置１００に送信する。「動的情報提供装置１００の要求」の詳細は後述する。
＜消費電力情報提供装置３００＞
ネットワーク９００には、目標物の電力計７０１，７０２も接続してもよい。消費電力情報提供装置３００は、消費電力情報記録部３１０、消費電力情報取得部３２０、通信部３９０を備える。通信部３９０は、ネットワーク９００を介して、動的情報提供装置１００、および多数の目標物の電力計７０１，７０２などと接続されている。
【００１７】
消費電力情報取得部３２０は、目標物の管理者から承諾を得られている電力計７０１，７０２から、目標物を特定する情報と消費電力と日時とを関連付けたアクティブ情報を取得し、消費電力情報記録部３１０に記録する。アクティブ情報の取得は、目的に適合する時間間隔とすればよい。例えば、店舗が開店しているか閉店しているかを識別することが目的の場合、時間間隔は３０分あるいは１時間とすればよい。一人暮らしの老人の安否を確認することが目的の場合、暮らしの中での消費電力の変化が確認できればよいので、時間間隔は６時間あるいは８時間などに設定すればよい。通信部３９０は、動的情報提供装置１００の要求にしたがってアクティブ情報を選択し、動的情報提供装置１００に送信する。「動的情報提供装置１００の要求」の詳細は後述する。
【００１８】
＜アクティブ情報提供装置４００＞
アクティブ情報提供装置４００は、アクティブ情報記録部４１０、アクティブ情報取得部４２０、通信部４９０を備える。通信部４９０は、ネットワーク９００を介して、動的情報提供装置１００、および多数の目標物に対応した連絡先端末（図示されていない）と接続されている。
【００１９】
アクティブ情報取得部４２０は、連絡先端末から提供される目標物を特定する情報と当該目標物に関する時間に依存した情報を取得し、アクティブ情報記録部４１０に記録する。例えば、目標物が病院の場合、通常の出入口と夜間の出入口が異なることがある。この場合は、アクティブ情報として、目標物が道路とつながる位置座標の情報を時間に依存させ、目標物を特定する情報と関連付けてアクティブ情報記録部４１０に記録しておけばよい。また、例えば、図書館のような定休日および開館時間が明確な施設の場合も、定休日と開館時間の情報を、目標物を特定する情報と関連付けてアクティブ情報記録部４１０に記録しておけばよい。もちろん、定休日の変更があり得る個人店舗の定休日および開店時間の情報を、目標物を特定する情報と関連付けてアクティブ情報記録部４１０に記録しておいてもよい。通信部４９０は、動的情報提供装置１００の要求にしたがってアクティブ情報を選択し、動的情報提供装置１００に送信する。「動的情報提供装置１００の要求」の詳細は後述する。
【００２０】
上述のように、アクティブ情報には端末位置に関するアクティブ情報も消費電力に関するアクティブ情報もある。また、アクティブ情報記録部４１０に記録されている情報も、アクティブ情報に含まれる。つまり、端末位置情報提供装置２００も消費電力情報提供装置３００も、一種のアクティブ情報提供装置と解釈できる。さらには、アクティブ情報は、目標物を特定する情報に関連付けた時間的に変化する目標物に関する情報であれば、上述の情報に限られない。
【００２１】
＜動的情報提供装置１００＞
動的情報提供装置１００は、記録部１１０、アクティブ情報収集部１２０、目標物検索部１３０、通信部１９０を備える。記録部１１０は、目標物を特定する情報と当該目標物の位置座標と属性情報と連絡先情報が関連付けられた情報である目標物情報を記録している。記録部１１０は、さらに、目標物ごとの収集するアクティブ情報の条件である収集条件を、目標物を特定する情報と関連付けて記録している。ただし、収集条件は、目標物の種類ごとに定めてもよい。アクティブ情報収集部１２０は、時間的に変化する目標物に関する情報であるアクティブ情報を、収集条件にしたがって収集し、アクティブ情報に対応するアクティブ対応情報を、目標物を特定する情報と関連付けて前記記録部に記録する（Ｓ１２０）。アクティブ対応情報は、１つまたは複数のアクティブ情報に基づいて求められた目標物検索部１３０が検索に用いる情報である。アクティブ対応情報は、目標物検索部１３０が利用可能な情報であれば、アクティブ情報そのものでもよいし、アクティブ情報に基づいて求めた情報でもよい。アクティブ情報は、以下に示すような消費電力のデータ、位置座標のデータなどである。よって、検索したい内容によっては、そのままでは検索に利用しにくい場合がある。そこで、アクティブ情報収集部１２０は、１つまたは複数のアクティブ情報に基づいて求めた検索に利用できる情報を、アクティブ対応情報としてもよい。
【００２２】
次に、収集条件の例を場合分けしながら説明する。目標物が店舗であって、アクティブ対応情報を用いて店舗に人がいるのか（あるいは開店しているのか）を確認する場合、例えば、次のような収集条件（アクティブ情報を収集する条件）が考えられる。
【００２３】
（１）目標物を特定する情報と関連付けられた消費電力に関するアクティブ情報
（２）目標物を特定する情報と関連付けられた端末位置に関するアクティブ情報
（３）目標物に対してあらかじめ設定された位置座標の範囲内の端末位置に関するアクティブ情報
（４）目標物を特定する情報と関連付けられた定休日と開店時間の情報
【００２４】
「（１）目標物を特定する情報と関連付けられた消費電力に関するアクティブ情報」が収集条件として記録されている場合、アクティブ情報収集部１２０は、消費電力情報提供装置３００に、収集条件に適合するアクティブ情報の送信を要求する。この要求が上述の消費電力情報提供装置３００に対する「動的情報提供装置１００の要求」である。アクティブ情報収集部１２０は、収集したアクティブ情報に対応するアクティブ対応情報を、目標物を特定する情報と関連付けて記録部１１０に記録する。例えば、１週間分程度のアクティブ情報から平均消費電力と最小消費電力を求めてしきい値を設定し、消費電力がしきい値より小さい期間を閉店状態とししきい値以上の期間を開店状態と判断し、閉店状態と開店状態の情報をアクティブ対応情報とすればよい。あるいは、２つのしきい値を設定し、閉店状態、不明、開店状態の３種類をアクティブ対応情報としてもよい。
【００２５】
「（２）目標物を特定する情報と関連付けられた端末位置に関するアクティブ情報」が収集条件として記録されている場合、アクティブ情報収集部１２０は、端末位置情報提供装置２００に、収集条件に適合するアクティブ情報の送信を要求する。この要求が上述の端末位置情報提供装置２００に対する「動的情報提供装置１００の要求」である。アクティブ情報収集部１２０は、収集したアクティブ情報に対応するアクティブ対応情報を、目標物を特定する情報と関連付けて記録部１１０に記録する。例えば、店舗のオーナーシェフの携帯電話または車両の位置情報を、目標物を特定する情報と関連付けられたアクティブ情報の収集条件として記録部１１０に登録されているとする。アクティブ情報から得られる位置座標が、目標物の位置座標と一致しない場合に、閉店状態（店舗に人がいない状態）と判断し、アクティブ対応情報としてもよい。また、（１）の消費電力に関するアクティブ情報と（２）の端末位置に関するアクティブ情報の組み合わせから、開店状態か閉店状態かを判断し、判断結果をアクティブ対応情報として目標物を特定する情報と関連付けて記録部１１０に記録してもよい。
【００２６】
「（３）目標物に対してあらかじめ設定された位置座標の範囲内の端末位置に関するアクティブ情報」が収集条件として記録されている場合、アクティブ情報収集部１２０は、端末位置情報提供装置２００に、収集条件に適合するアクティブ情報の送信を要求する。この要求も上述の端末位置情報提供装置２００に対する「動的情報提供装置１００の要求」である。アクティブ情報収集部１２０は、収集したアクティブ情報に対応するアクティブ対応情報を、目標物を特定する情報と関連付けて記録部１１０に記録する。（３）の収集条件の場合、位置座標の範囲内には複数の端末が存在する可能性がある。例えば、店舗の店内を位置座標の範囲内とし、その範囲内に存在する端末位置に関するアクティブ情報を収集条件とする。そして、目標物と関連付けられていない端末が設定された位置座標の範囲内にあらかじめ定めた数以上存在する場合、あるいは所定の時間内にあらかじめ定めた数以上の出入りがある場合は、開店状態と判断し（客がいると判断し）、「開店状態」をアクティブ対応情報としてもよい。その他の場合は、（３）のアクティブ情報では判断できない。したがって、（１）〜（３）の情報を組み合わせてアクティブ対応情報を求めればよい。なお、上述の（１）、（２）の例では、アクティブ情報は、あらかじめ目標物を特定する情報に関連付けられた物から得られる情報である。例えば、あらかじめ目標物を特定する情報に関連付けられた電力計が示す消費電力に関する情報、あらかじめ目標物を特定する情報に関連付けられた端末の位置座標に関する情報である。一方、（３）の例では、端末自体は目標物を特定する情報とは関連付けられていない。このように、目標物と関連付けられていない物の情報をアクティブ情報としてもよい。
【００２７】
「（４）目標物を特定する情報と関連付けられた定休日と開店時間の情報」が収集条件として記録されている場合、アクティブ情報収集部１２０は、アクティブ情報提供装置４００に、収集条件に適合するアクティブ情報の送信を要求する。この要求が上述のアクティブ情報提供装置４００に対する「動的情報提供装置１００の要求」である。アクティブ情報収集部１２０は、収集したアクティブ情報に対応するアクティブ対応情報を、目標物を特定する情報と関連付けて記録部１１０に記録する。アクティブ対応情報は、アクティブ情報そのものでもよいし、１つまたは複数のアクティブ情報に基づいて求められた前記目標物検索部が検索する情報でもよい。例えば、（４）のアクティブ情報では開店状態であっても、（１）〜（３）の情報を組み合わせた判断が閉店状態（人がいない状態）の場合は閉店状態と判断し、「閉店状態」をアクティブ対応情報としてもよい。
【００２８】
図３に、（１）〜（４）のアクティブ情報を用いてアクティブ対応情報を求める処理フローの例を示す。（１）の消費電力に関するアクティブ情報に基づいて、消費電力が閉店状態と同様に小さいときは閉店状態と判断する（Ｓ１２１，Ｓ１２６）。（２）の目標物を特定する情報と関連付けられた端末に関するアクティブ情報に基づいて、オーナーシェフの端末が店舗内に無いときは閉店状態と判断する（Ｓ１２２，Ｓ１２６）。（３）の位置座標の範囲内の端末位置に関するアクティブ情報に基づいて、設定された位置座標の範囲内に不特定の端末の出入りが所定の時間内にあらかじめ定めた数以上あるときは開店状態と判断する（Ｓ１２３，Ｓ１２５）。ステップＳ１２１，Ｓ１２２，Ｓ１２３では判断できないときは、（４）の登録された定休日と開店時間の情報に基づいて、開店状態か閉店状態かを判断する（Ｓ１２４，Ｓ１２５，Ｓ１２６）。このようにアクティブ情報を組み合わせてアクティブ対応情報を求めれば、通常は開店している日時にもかかわらず、オーナーが病気のため臨時休業している場合にも、正確な情報を提供できる。なお、図３では４つのアクティブ情報を用いてアクティブ対応情報（開店状態、閉店状態）を求めたが、必ずしも４つを組み合わせる必要はなく、適宜、アクティブ情報の組合せは設定すればよい。
【００２９】
目標物が病院であって、アクティブ情報を目標物が道路とつながる位置の情報とする場合、例えば、（５）目標物を特定する情報と時刻に関連付けられた目標物が道路とつながる位置座標の情報」を収集条件として記録部１１０に記録すればよい。この場合、アクティブ情報収集部１２０は、アクティブ情報提供装置４００に、収集条件に適合するアクティブ情報の送信を要求する。この要求も上述のアクティブ情報提供装置４００に対する「動的情報提供装置１００の要求」である。アクティブ情報収集部１２０は、収集したアクティブ情報に対応するアクティブ対応情報を、目標物を特定する情報と関連付けて記録部１１０に記録する。例えば、アクティブ対応情報を、時刻と目標物が道路とつながる位置座標との組合せとすればよい。
【００３０】
目標物が個人宅であって、高齢者を見守るための情報を収集したい場合、例えば、（１）と同様に「目標物を特定する情報と関連付けられた消費電力に関するアクティブ情報」を収集条件とすればよい。ただし、アクティブ情報収集部１２０は、収集したアクティブ情報に対応するアクティブ対応情報を、消費電力に関するアクティブ情報そのものとする。あるいは、アクティブ対応情報を、日中と夜間の消費電力の変化などの生活による消費電力の変化が認められる場合は「安心」、生活による消費電力の変化が認められない場合は「訪問」としてもよい。
【００３１】
同じアクティブ情報を収集しても、対応するアクティブ対応情報は異なることがある。例えば、消費電力に関するアクティブ情報であっても、目的物が店舗か個人宅かによって利用目的が異なる。また、利用目的によってアクティブ情報に求められる時間間隔も異なる。よって、アクティブ情報収集部１２０は、目的物の属性に応じて、またはアクティブ情報の利用目的に応じて、異なるアクティブ対応情報を求めればよい。例えば、記録部１１０が記録する収集条件に、アクティブ情報に基づいてアクティブ対応情報を求める処理の情報も含めてもよい。目的物を特定する情報ごとに処理の方法を記録しておけば、同じアクティブ情報を取得した後の処理を目的物ごとに適切に行いやすい。「処理の情報」とは、図３のような処理フロー自体、計算式、しきい値でもよいし、処理を指定するための識別子でもよいし、処理を特定できるのであれば利用目的でもよい。また、収集条件として、アクティブ情報に要求される時間間隔も記録しておいてもよい。
【００３２】
アクティブ情報収集部１２０が記録部１１０に記録された収集条件にしたがった処理を繰り返し行うことで、動的情報提供装置１００は時間的に変化する目標物に関する情報（アクティブ情報）を、目標物を特定する情報と関連付けて記録部１１０に記録しておくことができる。
【００３３】
目標物検索部１３０は、入力された検索条件（端末８００から送信された検索条件）を満たす目標物を、記録部１１０に記録された目標物情報とアクティブ対応情報を用いて検索する（Ｓ１３０）。目標物検索部１３０は、検索結果に基づいて検索条件に応じた出力をする。アクティブ対応情報も用いるので、検索条件には時間に関する条件を含めてもよい。次にいくつかの例を示す。
【００３４】
(Ａ)動的情報提供装置１００は、端末８００から１月１日午後２時４５分に「今日の午後３時に鎌倉市内で開店しているレストラン」という検索条件を受信したとする。目標物検索部１３０は、記録部１１０に記録された目標物情報の位置座標と属性情報に基づいて、鎌倉市内のレストランに該当する目標物を特定する情報を取得する。そして、その中から「開店状態」であることを示しているアクティブ対応情報が関連付けられている目標物を特定する情報を選定し、目標物情報を出力すればよい。
【００３５】
(Ｂ)動的情報提供装置１００は、端末８００から５月１０日午後１０時２０分に「端末８００の位置座標から半径５ｋｍ以内で診療している小児科」という検索条件を受信したとする。目標物検索部１３０は、記録部１１０に記録された目標物情報の位置座標と属性情報に基づいて、半径５ｋｍ以内の小児科に該当する目標物を特定する情報を取得する。そして、その中から「診療状態」であることを示しているアクティブ対応情報が関連付けられている目標物を特定する情報を選定する。さらに、選定された目標物を特定する情報に、時刻に関連付けられた目標物が道路とつながる位置座標の情報がアクティブ対応情報として関連付けられている場合は、目標物情報と午後１０時２０分以降に当該目標物が道路とつながる位置座標の情報とを出力すればよい。
【００３６】
（Ｃ）動的情報提供装置１００は、端末８００から５月１０日午後１０時２０分に「総合病院Ａを示している目標物を特定する情報に関連付けられている道路とつながる位置座標の情報」という検索条件を受信したとする。この例は、端末８００に総合病院Ａの電話番号が入力され、端末８００のナビゲーション部８２０が総合病院Ａまでの経路を探索する際の検索条件として想定される。目標物検索部１３０は、指定された目標物を特定する情報に、時刻に関連付けられた目標物が道路とつながる位置座標の情報がアクティブ対応情報として関連付けられているかを確認し、関連付けられている場合は、午後１０時２０分以降に当該目標物が道路とつながる位置座標の情報を出力すればよい。関連付けられていない場合は、目標物情報だけを出力してもよいし、関連付けられていないことだけを出力してもよい。
【００３７】
（Ｄ）記録部１１０には高齢者を見守る目的で許可を得て収集された個人宅の消費電力の情報がアクティブ対応情報として記録されているとする。そして、動的情報提供装置１００は、端末８００から７月１０日午前９時に「東京都江東区内であって、直近の２４時間の消費電力の変化が生活していることを示す程度より小さい個人宅の情報」という検索条件を受信したとする。目標物検索部１３０は、記録部１１０に記録された目標物情報の位置座標と属性情報に基づいて、東京都江東区内の個人宅に該当する目標物を特定する情報を取得する。取得した目標物を特定する情報に関連付けられた７月９日午前９時〜７月１０日午前９時までの消費電力に関するアクティブ対応情報が記録されている場合は、アクティブ対応情報を取得する。そして、消費電力の変化が生活していることを示す程度より小さいアクティブ対応情報が関連付けられている目標物を特定する情報を選定し、目標物情報を出力すればよい。なお、「消費電力の変化が生活していることを示す程度」か否かは、例えば、個人宅ごとの過去の消費電力からしきい値を定め、一定の時間以上しきい値より大きい状態またはしきい値より小さい状態が続いている場合は「訪問」と判断すればよい。ただし、この判断基準に限定するものではなく、適宜定めればよい。
【００３８】
端末８００は、目標物情報、アクティブ対応情報、もしくは該当する目的物が無いことを知らせる情報などを受け取る。（Ａ）のように開店しているレストランを検索していた場合は、端末８００の利用者は、目標物情報に含まれている連絡先情報を利用して、予約または実際に開店しているのかの確認を行えばよい。（Ｃ）のように病院の夜間診療を利用したい場合は、端末８００は夜間診療窓口にアクセスしやすい入口（道路とつながる位置座標）の情報をアクティブ対応情報として受け取り、ナビゲーション部８２０にアクティブ対応情報として示された位置座標を目的地の位置座標として経路検索させればよい。（Ｄ）のように高齢者を見守る場合は、端末８００に地図を示し、目標物情報の位置座標にしたがって、至急訪問すべき個人宅を表示する。個人宅を１つ選択したときは、ナビゲーション部８２０が経路を探索すればよい。また、複数の個人宅があるときは、ナビゲーション部８２０は全ての個人宅を訪問する最短経路を探索すればよい。これらの端末８００での処理は、端末８００が持つ既存の技術を利用すればよい。
【００３９】
本発明の動的情報提供装置によれば、記録部は、時間的に変化する目標物に関するアクティブ情報を収集する収集条件を記録している。そして、アクティブ情報収集部が収集条件にしたがってアクティブ情報を収集し、目標物検索部が入力された条件を満たす目標物の目標物情報を出力する。収集条件は目的に適合させて設定できるので、一般的なサービスに関する情報を動的に提供することができる。
【００４０】
［変形例１］
実施例１では、アクティブ情報収集部１２０が、まずアクティブ情報を収集し、アクティブ対応情報を記録部１１０に記録していた。したがって、目標物検索部１３０は、事前に記録部１１０に記録されている目標物情報とアクティブ対応情報だけから検索条件を満たす目標物を検索した。しかし、検索条件の受信後（つまりステップＳ８９１の後）にもアクティブ情報を収集してもよい。本変形例の場合は、検索条件の受信から検索結果の送信までの時間は長くなるが、最新のアクティブ情報に基づいて情報を動的に提供できる。
【００４１】
［プログラム、記録媒体］
上述の各種の処理は、図４に示すコンピュータの記録部２０２０に、上記方法の各ステップを実行させるプログラムを読み込ませ、制御部２０１０、入力部２０３０、出力部２０４０などに動作させることで実施できる。
【００４２】
この処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよい。
【００４３】
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させる構成としてもよい。
【００４４】
このようなプログラムを実行するコンピュータは、例えば、まず、可搬型記録媒体に記録されたプログラムもしくはサーバコンピュータから転送されたプログラムを、一旦、自己の記憶装置に格納する。そして、処理の実行時、このコンピュータは、自己の記録媒体に格納されたプログラムを読み取り、読み取ったプログラムに従った処理を実行する。また、このプログラムの別の実行形態として、コンピュータが可搬型記録媒体から直接プログラムを読み取り、そのプログラムに従った処理を実行することとしてもよく、さらに、このコンピュータにサーバコンピュータからプログラムが転送されるたびに、逐次、受け取ったプログラムに従った処理を実行することとしてもよい。また、サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。なお、本形態におけるプログラムには、電子計算機による処理の用に供する情報であってプログラムに準ずるもの（コンピュータに対する直接の指令ではないがコンピュータの処理を規定する性質を有するデータ等）を含むものとする。
【００４５】
また、この形態では、コンピュータ上で所定のプログラムを実行させることにより、本装置を構成することとしたが、これらの処理内容の少なくとも一部をハードウェア的に実現することとしてもよい。
【符号の説明】
【００４６】
１０  情報提供システム                １００  動的情報提供装置
１１０  記録部                        １２０  アクティブ情報収集部
１３０  目標物検索部
１９０，２９０，３９０，４９０，８９０  通信部
２００  端末位置情報提供装置          ２１０  端末位置情報記録部
２２０  端末位置情報取得部            ３００  消費電力情報提供装置
３１０  消費電力情報記録部            ３２０  消費電力情報取得部
４００  アクティブ情報提供装置        ４１０  アクティブ情報記録部
４２０  アクティブ情報取得部          ７０１，７０２  電力計
８００，８０１，８０２  端末          ８１０  インターフェース部
８２０  ナビゲーション部              ９００  ネットワーク
【図１】
0006861247.tif 000002
【図２】
0006861247.tif 000003
【図３】
0006861247.tif 000004
【図４】
0006861247.tif 000005